(57)【要約】【課題】  流体（水、染色液、温風、蒸気、その他の処理液体や処理気体）中を搬送するシート（プラスチックフィルム、布等）の拡幅装置として、シートを損傷させることなく拡幅可能なものを提供する。【解決手段】  処理液１２中を搬送するシート１１に隣接して設置するスパイラルローラ１５で構成する。スパイラルローラ１５は、シート１１の搬送方向に対して逆行するとともに軸方向の各半部のスパイラル山条１６とスパイラル溝１７が軸方向の中央部に向かって進む方向に回転駆動することにより、スパイラル溝１７部の処理液１２をスパイラル溝１７に沿って軸方向の端部方向へ流動させて、シート１１を拡幅するとともに、この際の処理液１２の流動抵抗に基づく圧力上昇により、シート１１をスパイラル山条１６から離隔させて、シート１１の損傷を防止する。【選択図】      図１
2006298604.tif 000002
【特許請求の範囲】
【請求項１】
スパイラルローラからなる流体中を搬送するシートの拡幅装置であって、スパイラルローラを、シートの搬送方向に逆行するとともに軸方向の各半部のスパイラル山条とスパイラル溝が軸方向の中央部に向かって進む回転駆動状態で、シートに隣接して設置してなるシートの拡幅装置。
【請求項２】
スパイラルローラのスパイラル溝が、軸方向の端部側の勾配が緩やかな偏心Ｖ状またはＵ状断面である、請求項１記載のシートの拡幅装置。
【発明の詳細な説明】
【技術分野】
【０００１】
この発明は、流体、すなわち液体（水、染色液などのシート処理液）又は気体（温風、蒸気などのシート処理気体）中を搬送（走行）するプラスチックフィルム、布等のシート（ウエブ）を、皺類の解消のために幅方向に拡げる拡幅装置に関する。
【背景技術】
【０００２】
この種の拡幅装置としては、軸方向の両半の外周部に対称にらせん状にのびるスパイラル山条とスパイラル溝を隣接して形成したいわゆるスパイラルローラからなるものが慣用されている（例えば、特許文献１、２、３及び４参照）。
【０００３】
この慣用の拡幅装置は、流体中を搬送するシートに、シートの搬送方向に順行するとともに軸方向の各半部のスパイラル山条とスパイラル溝が各端部に向かって進む回転状態又は回転駆動状態で、外周部のスパイラル山条を摩擦接触させることにより、シートに両側端方向への拡張力、すなわち拡幅力を付与するものであるが、特に摩擦係数が大きいシートの場合には、スパイラルローラのスパイラル山条のシートに対する摩擦接触により、シートに擦り傷類がつき易いという問題がある。
【特許文献１】特開２０００−１４７２５２号公報
【特許文献２】特開平８−２６８６０８号公報
【特許文献３】特開平７−７０９１３号公報
【特許文献４】実開平２−２２８５０号公報
【発明の開示】
【発明が解決しようとする課題】
【０００４】
この発明は、スパイラルローラからなる流体中を搬送するシートの拡幅装置として、摩擦係数の大きいシートも含めて、シートに擦り傷類をつけることなく拡幅可能なものを提供することを主要な課題としている。
【課題を解決するための手段】
【０００５】
この発明によれば、上記の課題は、特許請求の範囲の請求項１に記載のように、スパイラルローラからなる流体中を搬送するシートの拡幅装置であって、スパイラルローラを、シートの搬送方向に逆行するとともに軸方向の各半部のスパイラル山条とスパイラル溝が軸方向の中央部に向かって進む回転駆動状態で、シートに隣接して設置してなるシートの拡幅装置によって解決する。
【０００６】
この請求項１に記載のこの発明に係るシートの拡幅装置においては、スパイラルローラのシートの搬送方向と逆方向の回転によるねじコンベヤ乃至はスパイラルコンベヤと同様の送り作用により、スパイラル溝部の流体がスパイラル溝に沿って端部側に流れるので、シートが拡幅作用を受けるとともに、スパイラルローラとシートの間には、スパイラルローラの回転に伴う流体の遠心力流動（スパイラルローラから離れる方向への流動）によるシートに対するスパイラルローラから離す方向への加圧と、スパイラル溝部の流れ抵抗による流体の圧力の上昇によって、微小な間隙が生じ、この結果シートはスパイラルローラのスパイラル山条に対して無接触の状態で搬送される。
【０００７】
請求項１に記載のこの発明のシートの拡幅装置においては、請求項２に記載のごとく、スパイラルローラのスパイラル溝は、Ｖ状またはＵ状断面、特に軸方向の端部側の勾配が緩やかな偏心（変形）Ｖ状またはＵ状断面にすることが好ましい。
【発明の効果】
【０００８】
特許請求の範囲の請求項１に記載のこの発明に係るシートの拡幅装置の基本構成によれば、シートがスパイラルローラのスパイラル山条に接触しないので、シートに擦り傷類がつく恐れがない。
【０００９】
また請求項２に記載のこの発明のシートの拡幅装置におけるスパイラルローラのスパイラル溝の偏心Ｖ状またはＵ状断面構成によれば、流体の端部側への流動がより円滑に行われ、シートの拡幅、離隔がより的確に行われる。
【発明を実施するための最良の形態】
【００１０】
実施形態を略示した図面に基づいて説明すると、図１、図２に示す実施形態は、処理液１２中を搬送されるシート１１の水平から垂直への転向部に設置したスパイラルローラ１５からなっている。このスパイラルローラ１５は、図１、図２に矢印で示すように、シート１１の搬送方向に対して逆行するとともに軸方向の各半部のスパイラル山条１６と断面がスパイラル溝１７が軸中央部に向かって進む方向に回転駆動される。
【００１１】
この形態では、処理液１２中を搬送されるシート１１は、スパイラルローラ１５のシート１１の搬送方向に逆行する方向の回転により惹起されるねじコンベヤ乃至はスパイラルコンベヤと同様の送り作用を介したスパイラル溝１７部の処理液１２のスパイラル溝１７に沿う各端部方向への流れによって、拡幅作用を受ける。
【００１２】
またシート１１は、スパイラルローラ１５の回転遠心力に基づく処理液１２のスパイラルローラ１５から離れる方向への流動と、スパイラル溝１７部における処理液１２の流動抵抗に伴う圧力の上昇によって、スパイラルローラ１５から離隔する作用を受ける。
【００１３】
この結果シート１１は、スパイラルローラ１５に無接触の状態で搬送されながら、的確に拡幅される。
【００１４】
スパイラルローラ１５のスパイラル溝１７は、図２に示すような軸方向の端部側と中央部側の勾配が略対称な正形のＶ状断面或いはＵ状の断面形状にすることもできるが、処理液１２の端部側への流動のスムース化促進の点から、図３に略示するように、端部側の勾配が緩やかな中央部側に偏心のＶ状断面或いはＵ状断面にすることができる。これにより上記のシート１１の拡幅、離隔作用がより的確に行われる。
【００１５】
この発明に係る拡幅装置は、このほか、種々の形態で実施することができるもので、上記の形態に限定されるものではない。
【図面の簡単な説明】
【００１６】
【図１】この発明に係るシートの拡幅装置の実施形態を含むシートの処理液中の搬送状態を示す略側面図である。
【図２】図１に示す実施形態を構成するスパイラルローラの一実施例の要部の略拡大正面図である。
【図３】図１に示す実施形態を構成するスパイラルローラのスパイラル溝の好適例を略示する一部の拡大断面図である。
【符号の説明】
【００１７】
１１  シート
１２  処理液
１５  スパイラルローラ
１６  スパイラル山条
１７  スパイラル溝
【図１】
2006298604.tif 000003
【図２】
2006298604.tif 000004
【図３】
2006298604.tif 000005